(57)【要約】【課題】  コストアップをせずに、無駄な消費電力を抑えつつ、動作可能状態への復帰を高速化する。【解決手段】  ＬＥＤ光源１０を主走査方向に２分割した光源ブロックＬｅと光源ブロックＲｉのうち、光源ブロックＬｅでは、主走査方向の先端から点光源であるＬＥＤ（Ｌｅ１），・・・・，（Ｌｅ（ｎ−１）），（Ｌｅ（ｎ））と、それらの光量を個々に調整する複数の光量調整部Ｃ（Ｌｅ１），・・・・，Ｃ（Ｌｅ（ｎ−１）），Ｃ（Ｌｅ（ｎ））とを対応させてアレイ状に配列している。光源ブロックＲｉでは、主走査方向の後端からＬＥＤ（Ｒｉ１），・・・・，（Ｒｉ（ｎ−１）），（Ｒｉ（ｎ））と、それらの光量を個々に調整する複数の光量調整部Ｃ（Ｒｉ１），・・・・，Ｃ（Ｒｉ（ｎ−１）），Ｃ（Ｒｉ（ｎ））とを対応させてアレイ状に配列している。【選択図】        図１
2012195872.tif 000002
【特許請求の範囲】
【請求項１】
複数の点光源とその各点光源の発光量を個々に調整する複数の光量調整手段とを対応させてアレイ状に配列したことを特徴とする光源装置。
【請求項２】
前記複数の点光源は、直列に接続された複数のＬＥＤであり、
前記複数の光量調整手段は、前記複数の各ＬＥＤの一方の端子とグランドとの間にそれぞれ接続された複数の抵抗であることを特徴とする請求項１に記載の光源装置。
【請求項３】
前記複数の点光源は、直列に接続された複数のＬＥＤであり、
前記複数の光量調整手段は、前記複数の各ＬＥＤにそれぞれ並列に接続された複数の抵抗であることを特徴とする請求項１に記載の光源装置。
【請求項４】
前記複数の抵抗の各抵抗値は、前記複数の各ＬＥＤの発光量がコサイン４乗則を相殺するように設定されていることを特徴とする請求項２又は３に記載の光源装置。
【請求項５】
請求項１乃至４のいずれか一項に記載の光源装置を備えていることを特徴とする画像読取装置。
【請求項６】
請求項５に記載の画像読取装置を備え、該画像読取装置によって読み取られた画像データに基づいて画像形成処理を行うことを特徴とする画像形成装置。
【発明の詳細な説明】
【技術分野】
【０００１】
この発明は、光源装置、それを備えたスキャナ等の画像読取装置（デジタル複写機やデジタル複合機，ファクシミリ装置等の画像形成装置に搭載された画像読取部あるいは単体の画像読取装置）、およびその画像読取装置を搭載した画像形成装置に関する。
【背景技術】
【０００２】
近年、上記のような画像読取装置では、原稿の画像（以下単に「原稿」ともいう）を読み取るため、その原稿面に光を照射する光源装置（以下単に「光源」ともいう）として、従来のＸｅ（キセノン）光源に代わって、長寿命および消費電力の低減を実現できるＬＥＤ（発光ダイオード）を用いた光源であるＬＥＤ光源を搭載する動きが盛んである。
このようなＬＥＤ光源を搭載した画像読取装置では、ＬＥＤ光源を読み取り原稿面の主走査方向に対してブロック毎に分割配列することにより、そのブロック毎にＬＥＤの発光量（以下単に「光量」ともいう）の調整制御を可能とし、主走査方向の光量の分布（以下「光量の主走査分布」，「主走査分布」，又は「分布」ともいう）の不均一性を向上させる技術が既に知られている。
【０００３】
しかし、このような分布不均一性の解消手段である主走査方向へのブロック毎の分割によるＬＥＤ光源の光量調整では、分割したブロック単位での光量調整のため、分布均一性の滑らかさは分割数に依存する。また、より滑らかな分布を得るには、ブロック分割数を多くすればよいが、分割することでブロック毎のＬＥＤ光源を制御するＬＥＤドライバ(ＬＥＤ_ＤＲＶ)の数が多くなってしまい、コストアップになってしまう。さらに、ＬＥＤドライバを実装する分だけ制御基板の規模が拡大されてしまう恐れもある。加えて、ブロック毎の光量調整を行うため、電源投入から原稿読取開始状態になるまで調整時間がかかるという問題があった。
そこで、そのような問題を解消するため、例えば特許文献１に開示されている技術を利用することが考えられる。
特許文献１には、ＬＥＤ光源を用いた画像読取装置において、主走査分布の不均一性を改善するため、ＬＥＤ光源を複数の光源ブロックが主走査方向に複数配列されたものとして構成し、原稿読取開始に先立ち、基準白板をラインイメージセンサで読み取って得られる白画像データの主走査方向の分布が均一となる（信号レベルが一定となる）ように上記各光源ブロックの光量を調整する構成について開示されている。
【発明の概要】
【発明が解決しようとする課題】
【０００４】
しかしながら、特許文献１のものでは、ＬＥＤ光源をブロック毎に分割して光量調整を行うことにより、ブロック間の光量差が生じてしまうこと、およびソフト制御による光量調整を行うことで制御時間が必要となり、電源投入から原稿読取開始状態になるまで調整時間が掛かってしまう。また、調整が粗く、コストアップになってしまうという問題は解消できていない。
この発明は、上記の点に鑑みてなされたものであり、コストアップをせずに、光量（読取画像データ）の主走査分布の不均一性を解消しつつ、光量調整に要する時間を省略できるようにすることを目的とする。
【課題を解決するための手段】
【０００５】
この発明は、上記の目的を達成するため、以下の（１）〜（６）に示す光源装置、画像読取装置、および画像形成装置を提供する。
（１）複数の点光源とその各点光源の発光量を個々に調整する複数の光量調整手段とを対応させてアレイ状に配列した光源装置である。
（２）（１）の光源装置において、上記複数の点光源を、直列に接続された複数のＬＥＤとし、上記複数の光量調整手段を、上記複数の各ＬＥＤの一方の端子とグランドとの間にそれぞれ接続された複数の抵抗としたものである。
【０００６】
（３）（１）の光源装置において、上記複数の点光源を、直列に接続された複数のＬＥＤとし、上記複数の光量調整手段を、上記複数の各ＬＥＤにそれぞれ並列に接続された複数の抵抗としたものである。
（４）（２）又は（３）の光源装置において、上記複数の抵抗の各抵抗値を、上記複数の各ＬＥＤの発光量がコサイン４乗則を相殺するように設定したものである。
（５）（１）〜（４）のいずれかの光源装置を備えた画像読取装置である。
（６）（５）の画像読取装置を備え、その画像読取装置によって読み取られた画像データに基づいて画像形成処理を行う画像形成装置である。
【発明の効果】
【０００７】
この発明によれば、光源装置では、複数の点光源とその各点光源の発光量を個々に調整する複数の光量調整手段とを対応させてアレイ状に配列したので、複数の点光源をそれぞれ対応する光量調整手段によって調整することにより、コストアップをせずに、光量の主走査分布の不均一性を解消しつつ、光量調整に要する時間を省略することができる。つまり、低コストで滑らかな光量の主走査分布を効率的に得ることができる。
また、上記の光源装置を備えた画像読取装置によれば、低コストで高画質且つ高速の画像読み取りを行うことができる。
さらに、上記の画像読取装置を備えた画像形成装置によれば、高画質且つ高速の印刷を行うことができる。
【図面の簡単な説明】
【０００８】
【図１】この発明による光源装置の一実施形態であるＬＥＤ光源におけるＬＥＤ個々に光量調整部を備えた複数の光源ブロックと原稿面での光量の主走査分布とＣＣＤ面上での主走査分布との関係の第１例を示す図である。
【図２】図１に示したＬＥＤ光源１０の具体的構成例を示す回路図である。
【図３】同じくＬＥＤ光源１０の他の具体的構成例を示す回路図である。
【図４】図１〜図３のいずれかのＬＥＤ光源１０を備えたスキャナのハード構成例を示す概略図である。
【図５】図４に示したスキャナ３０を搭載した画像形成装置の構成例を示す概略図である。
【図６】従来のＬＥＤ光源と原稿面での光量の主走査分布とＣＣＤ面上での主走査分布との関係の第１例を示す説明図である。
【図７】同じくＬＥＤ光源と原稿面での光量の主走査分布とＣＣＤ面上での主走査分布との関係の第２例を示す説明図である。
【発明を実施するための形態】
【０００９】
以下、この発明を実施するための形態を図面に基づいて具体的に説明する。
以下の実施形態は、画像読取装置において、ＬＥＤに流す電流量によって光量の調整を行うという特徴を使い、主走査分布において読取レベルの落ち込む端部のＬＥＤへ多くの電流を供給することを、ソフト制御によらずハード的に実施することを特徴とする。
【００１０】
すなわち、従来、ＬＥＤによる光源（ＬＥＤ光源）は、以下に示すようにＬＥＤが直列に配列されている。
[ＬＥＤ１→ＬＥＤ２→ＬＥＤ３，・・・・，→ＬＥＤ（ｎ−１）→ＬＥＤ（ｎ）]
この中で、いくつかのＬＥＤ単位をまとめ、ブロック毎に分ける。ブロック単位で光量調整を行い、端部と中央部の読取レベル差を無くすことを目的としている。
【００１１】
以下の実施形態では、複数の各ＬＥＤの一方の端子とグランドとの間にブリーダ抵抗Ｒ（出力電圧が無負荷時に上がりすぎないように、常時電流を流すための抵抗器）を挿入することで、
[ＬＥＤ１→Ｒ１→ＬＥＤ２→Ｒ２→ＬＥＤ３→Ｒ３，・・・・，→ＬＥＤ（ｎ−１）→Ｒ（ｎ−１）→ＬＥＤ（ｎ）→Ｒ（ｎ）]
となり、隣り合うＬＥＤに流れる電流量を決定する。そして、個々のＬＥＤの光量を決めることを可能にすることにより、従来に比べて光量の滑らかな主走査分布を得ることができ、ソフト制御を介さずハード的にＬＥＤの光量を調整できることにより、調整時間が掛からないことが特徴になっている。
【００１２】
そこで、この発明の実施形態の特徴について詳細に説明するが、その説明に入る前に、理解の便宜のため、従来のＬＥＤ光源の問題点について、図６，図７を参照して説明する。
図６は、従来のＬＥＤ光源（光源ブロック）と原稿面での光量の主走査分布と光電変換手段であるＣＣＤイメージセンサ（以下単に「ＣＣＤ」という）の面上での主走査分布との関係の第１例を示す説明図である。
【００１３】
この従来例では、図６の（ａ）に示すように、ＬＥＤ光源１００は、１つの光源ブロックを構成し、複数個のＬＥＤがアレイ状に配列されており、その各ＬＥＤの照射（発光）による原稿面での光量の主走査分布は、同図の（ｂ）に実線で示すように均一な分布となる。
しかしながら、ＣＣＤ面上における光量の主走査分布は、図６の（ｃ）に示すように、原稿からの反射光がＣＣＤに入力される直前でレンズを通していることにより、主走査方向の中心に対してレンズ特性のｃｏｓ（コサイン）４乗則に従い、端部に近づくにつれて光量が低下する。
【００１４】
ここで、ｃｏｓ４乗則とは、入射角と照度との関係を示すもので、レンズに入射する光の入射角（レンズ入射角）が光軸に対してθの場合、照度は次式に示す関係となる。但し、Ｉｏは入射前の光の照度を、Ｉは入射後の光の照度をそれぞれ示す。
Ｉ＝Ｉｏ ｃｏｓ４θ
上記光源ブロックによるＣＣＤ面上での主走査分布を均一にする対策としては、主走査方向の端部ではＬＥＤを密に配列し、中央部程ＬＥＤの配列を粗くすることが行われているが、主走査分布の不均一を確実に防止できるものではない。
【００１５】
図７は、従来のＬＥＤ光源と原稿面での光量の主走査分布とＣＣＤ面での主走査分布との関係の第２例を示す説明図である。
この従来例は、図６に示したＣＣＤ面上における主走査分布の端部の光量低下を改善したものである。
この従来例では、図７の（ａ）に示すように、主走査方向にアレイ状に配列されたＬＥＤ光源１００を複数（３つ）の光源ブロックである第１光源ブロック１０１と第２光源ブロック１０２と第３光源ブロック１０３とに分割し、その分割した各光源ブロック１０１〜１０３毎に光量調整（電流調整）を実施する。
【００１６】
第１，第２，第３の光源ブロック１０１〜１０３の光量は、先にも述べたようにＣＣＤ面上において、ｃｏｓ４乗則に基づいて主走査方向の端部の光量が低下する分布を考慮し、図７の（ｃ）に実線で示すように、その端部の光量を上げるように調整する。
しかしながら、分割したブロック毎にしか光量を調整できないため、原稿面での主走査分布は、図７の（ｂ）の実線で示すように階段状になってしまう。
この場合、原稿面での階段状分布に対してｃｏｓ４乗則により、ＣＣＤ面上での主走査方向の端部の光量が低下する図７の（ｃ）の実線で示す分布の差分がＣＣＤ面上での光量分布となってしまい、ＣＣＤ面上での光量分布には光源ブロックの切り替わり部分において大きな光量差が生じて、光量ムラとなってしまう可能性がある。この場合、画像としてはスジ発生の原因となる。
【００１７】
そこで、光源装置としてＬＥＤ光源を使用する場合、コストアップをせずに、光量（読取画像データ）の主走査分布の不均一性を解消しつつ、光量調整に要する時間を省略できるようにするため、この発明の実施形態を以下に示す。
図１は、この発明による光源装置の一実施形態であるＬＥＤ光源におけるＬＥＤ個々に光量調整部を備えた複数の光源ブロックと、原稿面での光量の主走査分布と、ＣＣＤ面上での主走査分布との関係の第１例を示す図である。
【００１８】
この実施形態のＬＥＤ光源１０は、例えば図１の（ａ）に示すように、主走査方向に２分割した光源ブロックＬｅと光源ブロックＲｉとからなるＬＥＤアレイである。
光源ブロックＬｅでは、主走査方向の先端から点光源であるＬＥＤ（Ｌｅ１），・・・・，（Ｌｅ（ｎ−１）），（Ｌｅ（ｎ））と、それらの光量を個々に調整する複数の光量調整手段である光量調整部Ｃ（Ｌｅ１），・・・・，Ｃ（Ｌｅ（ｎ−１）），Ｃ（Ｌｅ（ｎ））とを対応させてアレイ状に配列している。
光源ブロックＲｉでは、主走査方向の後端からＬＥＤ（Ｒｉ１），・・・・，（Ｒｉ（ｎ−１）），（Ｒｉ（ｎ））と、それらの光量を個々に調整する複数の光量調整手段である光量調整部Ｃ（Ｒｉ１），・・・・，Ｃ（Ｒｉ（ｎ−１）），Ｃ（Ｒｉ（ｎ））とを対応させてアレイ状に配列している。
【００１９】
よって、ブロック毎に光量調整を行う場合に比べて、ＬＥＤ（Ｌｅ１），・・・・，（Ｌｅ（ｎ−１）），（Ｌｅ（ｎ））およびＬＥＤ（Ｒｉ１），・・・・，（Ｒｉ（ｎ−１）），１（Ｒｉ（ｎ））を個々に光量調整（電流調整）することができるため、ＣＣＤ面上での光量低下分を考慮した光量分を予め個々のＬＥＤ（Ｌｅ１），・・・・，（Ｌｅ（ｎ−１）），（Ｌｅ（ｎ）），（Ｒｉ１），・・・・，（Ｒｉ（ｎ−１）），１（Ｒｉ（ｎ））に持たせておくことで、原稿面での光量分布として、図１の（ｂ）に実線で示すように、端部が持ち上がるような滑らかな分布を得ることができる。
したがって、原稿面において端部が持ち上がるような分布のＬＥＤ光源１０を使用すると、ＣＣＤ面上ではｃｏｓ４乗則に基づき、図１の（ｃ）に実線で示すように、光量の均一な主走査分布が得られる。
【００２０】
図２は、図１に示したＬＥＤ光源１０の具体的構成例を示す回路図であり、図１と対応する部分には同一符号を付している。
このＬＥＤ光源１０は、例えば図２に示すように、主走査方向の中央を境界として光源ブロックＬｅと光源ブロックＲｉとに２分割している。なお、ここでは２分割としているが、分割数については偶数分割であれば同じ効果を得られる。
【００２１】
そして、光源ブロックＬｅ側の各ＬＥＤ（Ｌｅ１），・・・・，（Ｌｅ（ｎ−１）），（Ｌｅ（ｎ））はそれぞれ直列に接続され、その各ＬＥＤ（Ｌｅ１），・・・・，（Ｌｅ（ｎ−１）），（Ｌｅ（ｎ））の電流流出側の端子（電流流入出側の端子でもよい）とグランドＧＮＤとの間にそれぞれブリーダ抵抗Ｒ（Ｌｅ１），・・・・，Ｒ（Ｌｅ（ｎ−１）），Ｒ（Ｌｅ（ｎ））が接続されている。これらのブリーダ抵抗Ｒ（Ｌｅ１），・・・・，Ｒ（Ｌｅ（ｎ−１）），Ｒ（Ｌｅ（ｎ））は、図１の光量調整部Ｃ（Ｌｅ１），・・・・，Ｃ（Ｌｅ（ｎ−１）），Ｃ（Ｌｅ（ｎ））にそれぞれ相当する。
【００２２】
一方、光源ブロックＲｉ側の各ＬＥＤ（Ｒｉ１），・・・・，（Ｒｉ（ｎ−１）），（Ｒｉ（ｎ））もそれぞれ直列に接続され、その各ＬＥＤ（Ｒｉ１），・・・・，（Ｒｉ（ｎ−１）），（Ｒｉ（ｎ））の電流流出側の端子（電流流入出側の端子でもよい）とグランドＧＮＤとの間にもそれぞれブリーダ抵抗Ｒ（Ｒｉ１），・・・・，Ｒ（Ｒｉ（ｎ−１）），Ｒ（Ｒｉ（ｎ））が接続されている。これらのブリーダ抵抗Ｒ（Ｒｉ１），・・・・，Ｒ（Ｒｉ（ｎ−１）），Ｒ（Ｒｉ（ｎ））は、図１の光量調整部Ｃ（Ｒｉ１），・・・・，Ｃ（Ｒｉ（ｎ−１）），Ｃ（Ｒｉ（ｎ））にそれぞれ相当する。
【００２３】
各ＬＥＤ（Ｌｅ１），・・・・，（Ｌｅ（ｎ−１）），（Ｌｅ（ｎ）），（Ｒｉ１），・・・・，（Ｒｉ（ｎ−１）），（Ｒｉ（ｎ））の光量はそれぞれ、対応するブリーダ抵抗Ｒ（Ｌｅ１），・・・・，Ｒ（Ｌｅ（ｎ−１）），Ｒ（Ｌｅ（ｎ）），Ｒ（Ｒｉ（ｎ−１）），Ｒ（Ｒｉ（ｎ））へ流す電流の値により決まり、それらをレンズ特性のｃｏｓ４乗則を打ち消すような関係とする。
ブリーダ抵抗Ｒ（Ｌｅ１），・・・・，Ｒ（Ｌｅ（ｎ−１）），Ｒ（Ｌｅ（ｎ）），Ｒ（Ｒｉ１），・・・・，Ｒ（Ｒｉ（ｎ−１）），Ｒ（Ｒｉ（ｎ））に流す電流のうち、例えば、ブリーダ抵抗Ｒ（Ｌｅ（ｎ−１））に流れる電流値Ｉｒ（ｎ−１）と、ＬＥＤ（Ｌｅ（ｎ−１））に流れる電流値ＩＬ（ｎ−１）と、ＬＥＤ（Ｌｅ（ｎ））に流れる電流値ＩＬ（ｎ）とは、次式に示す関係となる。
【００２４】
ＩＬ(ｎ)−ＩＬ（ｎ−１）＝Ｉｒ（ｎ−１）∝（ｃｏｓ４θ）−１
上式となるように決め、分割した光源ブロックＬｅと光源ブロックＲｉとの境界付近における、光源ブロックＬｅ側のＬＥＤ（Ｌｅ（ｎ））に流れる電流値ＩＬ（ｎ）とブリーダ抵抗Ｒ（Ｌｅ（ｎ））へ流れる電流値ＩｒとＬＥＤドライバ（ＬＥＤ−ＤＲＶ）２０でＬＥＤ（Ｌｅ１），・・・・，（Ｌｅ（ｎ−１）），（Ｌｅ（ｎ））を駆動する際の定常電流値Ｉｄとは、次式に示す関係となる。
ＩＬ（ｎ）−Ｉｒ（ｎ）＝Ｉｄ
【００２５】
図２に示したＬＥＤ光源１０によれば、各ＬＥＤの光量を個々に調整するため、ＣＣＤ面上において滑らかな主走査分布を得ることが可能である。
また、図６に示したような主走査分布を均一にする対策である主走査中心部と端部とで粗密を出すＬＥＤ配列を行う必要がないため、コストアップを招かずに済む。
さらに、図７に示したようなＬＥＤ光源を光源ブロック毎に分割して光量調整する従来技術は、主走査分布を改善するため、分割ブロック数を増やすことにより、ある程度の改善はできるものの、使用するＬＥＤドライバの数が増え、コストアップに繋がるが、この実施形態では、ブリーダ抵抗を用いてハード的に主走査分布を一意に決めることができるため、ＬＥＤドライバを増やす必要がない。
同時に、ハード的に光量調整を実施することが可能であることから、ソフト制御を必要とせず、例えば電源投入時に光量調整の制御を必要としない。
【００２６】
図３は、図１に示したＬＥＤ光源１０の他の具体的構成例を示す回路図であり、図２と対応する部分には同一符号を付している。
図２に示した構成により、従来技術に比べてＣＣＤ面上において滑らかな主走査分布を得ることができるが、図３に示す構成のＬＥＤ光源１０は、図２に示した構成のものに対して消費電流を抑えつつ、かつ他のＬＥＤとは無関係にＬＥＤ個々に流す電流値を決定することができる。
【００２７】
すなわち、図２に示したように、各ＬＥＤ（Ｌｅ１），・・・・，（Ｌｅ（ｎ−１）），（Ｌｅ（ｎ））の電流流出側の端子とグランドＧＮＤとの間にそれぞれブリーダ抵抗Ｒ（Ｌ−１），・・・・，Ｒ（Ｌｅ（ｎ−１）），Ｒ（Ｌｅ（ｎ））を、各ＬＥＤ（Ｒｉ１），・・・・，（Ｒｉ（ｎ−１）），（Ｒｉ（ｎ））の電流流出側の端子とグランドＧＮＤとの間にそれぞれブリーダ抵抗Ｒ（Ｒｉ１），・・・・，Ｒ（Ｒｉ（ｎ−１）），Ｒ（Ｒｉ（ｎ））をそれぞれ接続した場合、その各ブリーダ抵抗を通して無駄な消費電流を発生させてしまう。また、ＣＣＤ面上での主走査分布を考慮するために各ブリーダ抵抗に流す電流は隣接するＬＥＤに流れる電流の影響を受けるため、ブリーダ抵抗の抵抗値の設定は複雑で煩わしいという問題がある。
【００２８】
図３に示す構成のＬＥＤ光源１０では、光源ブロックＬｅ側の各ＬＥＤ（Ｌｅ１），・・・・，（Ｌｅ（ｎ−１）），（Ｌｅ（ｎ））はそれぞれ直列に接続され、その各ＬＥＤ（Ｌｅ１），・・・・，（Ｌｅ（ｎ−１）），（Ｌｅ（ｎ））にそれぞれ抵抗Ｒ（Ｌｅ１）′，・・・・，Ｒ（Ｌｅ（ｎ−１））′，Ｒ（Ｌｅ（ｎ））′が並列に接続されている。これらの抵抗Ｒ（Ｌｅ１）′，・・・・，Ｒ（Ｌｅ（ｎ−１））′，Ｒ（Ｌｅ（ｎ））′は、図１の光量調整部Ｃ（Ｌｅ１），・・・・，Ｃ（Ｌｅ（ｎ−１）），Ｃ（Ｌｅ（ｎ））にそれぞれ相当する。
【００２９】
一方、光源ブロックＲｉ側の各ＬＥＤ（Ｒｉ１），・・・・，（Ｒｉ（ｎ−１）），（Ｒｉ（ｎ））もそれぞれ直列に接続され、その各ＬＥＤ（Ｒｉ１），・・・・，（Ｒｉ（ｎ−１）），（Ｒｉ（ｎ））にもそれぞれ光量調整部である抵抗Ｒ（Ｒｉ１）′，・・・・，Ｒ（Ｒｉ（ｎ−１））′，Ｒ（Ｒｉ（ｎ））′が並列に接続されている。これらの抵抗Ｒ（Ｒｉ１）′，・・・・，Ｒ（Ｒｉ（ｎ−１））′，Ｒ（Ｒｉ（ｎ））′は、図１の光量調整部Ｃ（Ｒｉ１），・・・・，Ｃ（Ｒｉ（ｎ−１）），Ｃ（Ｒｉ（ｎ））にそれぞれ相当する。
【００３０】
同時に、各ＬＥＤ（Ｌｅ１），・・・・，（Ｌｅ（ｎ−１）），（Ｌｅ（ｎ）），（Ｒｉ１），・・・・，（Ｒｉ（ｎ−１）），（Ｒｉ（ｎ））に流れる電流値のうち、例えば、ＬＥＤ（Ｌｅ（ｎ−１））に流れる電流値ＩＬ（ｎ−１）′と、そのＬＥＤ（Ｌｅ（ｎ−１））に並列に備えてある光量調整用の抵抗Ｒ（Ｌｅ（ｎ−１））′に流れる電流値Ｉｒ（ｎ−１）′と、ＬＥＤドライバ（ＬＥＤ−ＤＲＶ）２０でＬＥＤ（Ｌｅ１），・・・・，（Ｌｅ（ｎ−１）），（Ｌｅ（ｎ））を駆動する際の定常電流値Ｉｄとは、次式に示す関係となる。
Ｉｄ＝ＩＬ（ｎ−１）＋Ｉｒ（ｎ−１）′
【００３１】
このように、他のＬＥＤとは関係なく、各ＬＥＤにそれぞれ並列に抵抗を設ける構成とすることにより、無駄な消費電流の発生を解消できる。また、ＬＥＤ個々に流す電流を決定できるため、ＬＥＤ光量設定の自由度が格段に向上する。更に、図３に示したように、ＬＥＤ光源を複数の光源ブロックに分割する必要もない。
【００３２】
以上、この発明をＣＣＤによって原稿の画像を読み取る画像読取装置（スキャナ等）に備えたＬＥＤ光源（光源装置）に適用した実施形態について説明したが、この発明はこれに限らず、他のイメージセンサによって原稿の画像を読み取る画像読取装置に備えたＬＥＤ光源には勿論、そのような画像読取装置に備えた他の光源装置、それらの光源装置を備えた画像読取装置を搭載したデジタル複写機，ファクシミリ装置，プリンタ等の各種画像形成装置にもそれぞれ適用可能である。画像形成装置本体は、画像読取装置からの画像データを可視画像として用紙等のシートに印刷することができる。また、イメージセンサ以外のセンサに使用する光源装置や、それを備えた画像読取装置や画像形成装置等の各種電子機器にも、この発明を適用可能である。この発明による光源装置を備えることにより、高画質画像を効率的に取得可能な画像読取装置や画像形成装置等の電子機器を提供することができる。
【００３３】
図４は、図１〜図３のいずれかのＬＥＤ光源１０を備えたスキャナのハード構成例を示す概略図である。
このスキャナ３０は、フラットベッド方式のものであり、本体上面に、原稿が載置される原稿ガラスであるコンタクトガラス３１が設置されている。
コンタクトガラス３１の下方には、第１キャリッジ３５と第２キャリッジ３６が２対１の速度で矢印Ａ方向（副走査方向）に移動するように配置されている。
【００３４】
第１キャリッジ３５には光源としてのＬＥＤ光源（ＬＥＤアレイ）１０と第１ミラー３２が搭載され、第２キャリッジ３６には第２ミラー３３および第３ミラー３４が搭載されている。
ＬＥＤ光源１０によって照射された原稿からの反射光は、第１ミラー３２、第２ミラー３３、および第３ミラー３４によって反射されて結像レンズ３７に入射し、その結像レンズ３７で集光され、ＣＣＤ３８の結像面に結像し、ＣＣＤ３８で光電変換されたアナログ画像信号が信号処理回路３９でデジタル画像データ（原稿の画像データ）に変換され、後段に送られる。
【００３５】
一方、原稿の画像データの主走査方向（副走査方向と直交する方向）の分布を均一にするためには、シェーディング補正を行うが、そのための基準白板４１の読み取りデータを取得する必要がある。
シェーディング補正を行うためには、原稿の画像読み取り前に、ＬＥＤ光源１０による照明により、基準白板４１の表面が読み取られ、その読み取り結果（読み取りデータ）に基づいて原稿の画像読み取り時のシェーディング補正が行われる。
【００３６】
ここで、第１，第２キャリッジ３５，３６が２対１の速度で副走査方向に移動するのは、原稿面からＣＣＤ３８の結像面までの光路長を一定に保持するためであり、ＣＣＤ３８は信号処理回路３９上に搭載されている。
また、コンタクトガラス３１の上面を覆うように圧板４０が開閉可能に設けられ、コンタクトガラス３１上に原稿が載置されたとき、外部からの光がＣＣＤ３８に入射しないようにしている。なお、圧板４０に代えてＡＤＦ（自動原稿給送装置）などを設け、原稿を自動的に給送できるように構成することも可能である。
このように、この発明によるＬＥＤ光源１０をスキャナ３０に搭載することにより、読取画像データの主走査分布の不均一性を解消しつつ、光量調整に要する時間を省略することができる。よって、低コストで高画質且つ高速の画像読み取りを行うことができる。
【００３７】
図５は、図４に示したスキャナ３０を搭載した画像形成装置の構成例を示す概略図である。
この画像形成装置５０は、スキャナ３０とプリンタ６０とを備えている。
スキャナ３０は、ＬＥＤ光源１０と、タイミング制御部（ＴＧ）５１、ドライバ（ＤＲＶ）５２、ＣＣＤ３８、アナログ処理部（ＡＦＥ: Analog Front End）５３、ＬＶＤＳトランスミッタ５４を含む信号処理回路とを備えている。
タイミング制御部５１は、例えば発振子（ＯＳＣ）の出力をＰＬＬ（Phase Locked Loop）部で逓倍した基準クロックを生成し、ドライバ５２に供給する。
【００３８】
ドライバ５２は、図２，図３のＬＥＤドライバ２０や、ＣＣＤ３８を駆動するＣＣＤドライバを構成する。
アナログ処理部（ＡＦＥ）５３は、入力されるアナログ画像信号に対して種々のアナログ処理を行う。つまり、サンプル・ホールド、クランプ動作、オフセット補正、信号増幅などを行い、最終的にＡ／Ｄ変換し、パラレル１０ｂｉｔのデジタル画像データを出力する。
ＬＶＤＳトランスミッタ５４は、アナログ処理部５３からデジタル画像データ，ライン同期信号，クロックが入力されると、それらをプリンタ６０のＬＶＤＳレシーバ６６へシリアル送信する。
【００３９】
一方、プリンタ６０は、プリンタエンジン６１と、このプリンタエンジン６１を制御する制御部６２とを備え、両者はＩ／Ｆ６３により通信可能に接続されている。
制御部６２は、ＣＰＵ６４、画像処理部６５、およびＬＶＤＳレシーバ６６を備えている。
ＬＶＤＳレシーバ６６は、スキャナ３０のＬＶＤＳトランスミッタ５４からシリアル送信されたデジタル画像データ，ライン同期信号，クロックを受信すると、そのデジタル画像データをパラレル１０ｂｉｔのデジタル画像データに変換し、受信したライン同期信号，クロックと共に画像処理部６５に入力する。
【００４０】
画像処理部６５は、ＬＶＤＳレシーバ６６からパラレル１０ｂｉｔのデジタル画像データ，ライン同期信号，クロックが入力されると、そのデジタル画像データに対し、そのライン同期信号およびクロックに基づいて各種画像補正や処理を行った後、そのデジタル画像データをプリンタエンジン６１に出力して、用紙等のシート上に印刷（画像形成）を行わせる。
ＣＰＵ６４は、スキャナ３０内のタイミング制御部５１と相互に通信可能に接続し、プリンタエンジン６１およびスキャナ３０の動作全体を制御する。
【００４１】
このように、この発明によるＬＥＤ光源１０を備えたスキャナ３０を画像形成装置５０に搭載することにより、低コストで高画質且つ高速の印刷を行うことができる。
なお、この発明は上述した実施形態に限定されるものではなく、特許請求の範囲に記載された技術思想に含まれる技術的事項の全てが対象となることは言うまでもない。
【産業上の利用可能性】
【００４２】
以上の説明から明らかなように、この発明によれば、コストアップをせずに、光量の主走査分布の不均一性を解消しつつ、光量調整に要する時間を省略することができる。したがって、低コストで滑らかな光量の主走査分布を効率的に得られる光源装置、低コストで高画質且つ高速の画像読み取りが可能な画像読取装置、および低コストで高画質且つ高速の印刷が可能な画像形成装置を提供することができる。
【符号の説明】
【００４３】
１０：ＬＥＤ光源    ２０：ＬＥＤドライバ    ３０：スキャナ    ３８：ＣＣＤ
５０：画像形成装置    ５２：ドライバ    ６０：プリンタ
（Ｌｅ１）〜（Ｌｅ（ｎ）），（Ｒｉ１）〜（Ｒｉ（ｎ））：ＬＥＤ
Ｃ（Ｌｅ１）〜Ｃ（Ｌｅ（ｎ）），Ｃ（Ｒｉ１）〜Ｃ（Ｒｉ（ｎ））：光量調整部
Ｒ（Ｌｅ１）〜Ｒ（Ｌｅ（ｎ）），Ｒ（Ｒｉ１）〜Ｒ（Ｒｉ（ｎ））：ブリーダ抵抗
Ｒ（Ｌｅ１）′〜Ｒ（Ｌｅ（ｎ））′，Ｒ（Ｒｉ１）′〜Ｒ（Ｒｉ（ｎ））′：抵抗
【先行技術文献】
【特許文献】
【００４４】
【特許文献１】特許第４３６８６２６号公報
【図１】
2012195872.tif 000003
【図２】
2012195872.tif 000004
【図３】
2012195872.tif 000005
【図４】
2012195872.tif 000006
【図５】
2012195872.tif 000007
【図６】
2012195872.tif 000008
【図７】
2012195872.tif 000009